(57)【要約】【課題】  ロールスクリーンの水平及び前後角度の調整が容易なロールスクリーン用ブラケットを提供する。【解決手段】  固定用ねじ通し孔を備えた固定板部と軸受溝を備えた軸受板部が直角に連結してなるＬ字形の本体と、その軸受板部に脱着可能に固定されて軸受溝にロールスクリーンの軸端部を受け入れる軸受体と、その軸受体の軸受溝にねじ込まれて軸端部の上下位置を規定する調整ボルトとからなるロールスクリーン用ブラケットにおいて、軸受体を軸受板部に軸受溝の角度位置を調整可能に固定し、調整ボルトに弛み止め機能付きナットを掛ける。【選択図】        図１
2005090195.tif 000002
【特許請求の範囲】
【請求項１】
固定用ねじ通し孔を備えた固定板部の一端から軸受板部が垂下するＬ字形の本体と、前記軸受板部に脱着可能に固定されて軸受溝にロールスクリーンの軸端部を受け入れる軸受体と、前記軸受体の軸受溝の底部から内部にねじ込まれて前記軸端部の上下位置を規定する調整ボルトとからなるロールスクリーン用ブラケットにおいて、前記軸受体を前記軸受板部に角度位置調整可能に固定することを特徴としてなるロールスクリーン用ブラケット。
【請求項２】
軸受体に軸受けするロールスクリーンの軸端部を中心として直径方向に相対する少なくとも２つ固定ねじ通し孔を設けて、軸受板部に同一円周上に位置して前記固定ねじ通し孔と連通する多数の固定ねじ孔を設け、少なくとも２つの固定ねじを介して前記軸受体を前記軸受板部に固定することを特徴としてなる請求項１に記載のロールスクリーン用ブラケット。
【請求項３】
調整ボルトに弛み止め機能付きナットを掛けることを特徴としてなる請求項１又は２に記載のロールスクリーン用ブラケット。
【請求項４】
軸受溝の底部にナット溝を設け、前記ナット溝に弛み止めナットを配置することを特徴としてなる請求項３に記載のロールスクリーン用ブラケット。
【請求項５】
固定板部の施工面側に防振樹脂板を、内面側に挟み板を、それぞれの固定用ねじ通し孔が前記固定板部の固定用ねじ通し孔と連通するように重ね合わせることを特徴とする請求項１ないし４のいずれか１つに記載のロールスクリーン用ブラケット。
【請求項６】
軸受板部の垂直２等分線に関して対称な位置の一方に連装用ねじ通し孔を他方に連装用ねじ孔を設けることを特徴とする請求項１ないし５のいずれか１つに記載のロールスクリーン用ブラケット。
【発明の詳細な説明】
【技術分野】
【０００１】
本発明は、ロールスクリーンの軸端部を支持するために、天井面又は壁面に固定されるロールスクリーン用ブラケットに関する。
【背景技術】
【０００２】
ロールスクリーン用ブラケットは、天井面、壁面等の施工面に固定されるＬ字形の本体と、ロールスクリーンの軸端部を支持する軸受体とからなる。ロールスクリーンを水平に支持するため、ブラケットの軸受体の上下位置は常に調整しなければならない。公知のブラケットは、軸受体を本体に上下調整可能に取り付け、本体に下側からねじ込む調整ボルトを介して軸受体の上下位置を調整する方式である。また、ロールスクリーンの動作を静粛にするため、ブラケット本体の固定板部に防振樹脂の被覆を施すことも公知である。
【０００３】
ブラケットを固定する施工面が、傾斜しているときは、軸受体の上下位置を調整するだけではなく、ブラケットの本体と施工面の間にスペーサ等を挿入して軸受体の前後角度も調整しなければならない。この角度調整作業は、著しく厄介であり、特に、大型ロールスクリ−ン又は重い電動ロールスクリーンの場合、角度調整作業は、２人以上の人員を要するため、施工コストが増大するという問題があった。
【０００４】
また、従来の本体に防振樹脂被覆を施したブラケットは、防振樹脂の色相が施工面の色相にマッチしないと、施工面の意匠が損なわれるという問題があった。
【０００５】
さらに、従来のブラケットは、連装のために背中合わせに設置するとき、施工ミスで同軸にならないと、連装ロールスクリーンが見苦しくなるおそれがあった。
【特許文献１】実開昭５８−９０９９１号公報
【発明の開示】
【発明が解決しようとする課題】
【０００６】
本発明は、上記問題を解決するためになされたものであり、その課題は、天井面、壁面等の施工面に固定されるＬ字形の本体と、その本体に脱着可能に固定されてロールスクリーンの軸端部を受け入れる軸受体と、その軸受体にねじ込まれてロールスクリーンの軸端部を位置決めする調整ボルトとからなるロールスクリーン用ブラケットであって、水平及び前後角度の調整が容易であり、防振樹脂を施工面の色相に合わせることも、連装ロールスクリーンの同軸に揃えることも可能なものを提供することである。
【課題を解決するための手段】
【０００７】
前記課題を解決するため、本発明が採用する手段は、固定用ねじ通し孔を備えた固定板部の一端から軸受板部が垂下するＬ字形の本体と、軸受板部に脱着可能に固定されて軸受溝にロールスクリーンの軸端部を受け入れる軸受体と、軸受体の軸受溝の底部から内部にねじ込まれて軸端部の上下位置を規定する調整ボルトとからなるロールスクリーン用ブラケットにおいて、軸受体を軸受板部に角度位置調整可能に固定することである。
【０００８】
調整ボルトには弛み止め機能付きナットを掛けることが好ましい。また、固定板部の施工面側に防振樹脂板を、内面側に挟み板を、それぞれの固定用ねじ通し孔が連通するように重ね合わせる。さらに、軸受板部の垂直２等分線に関して対称な位置の一方に連装用ねじ通し孔を、他方に連装用ねじ孔を設ける。
【発明の効果】
【０００９】
本発明のロールスクリーン用ブラケットは、調整ボルトを操作することにより、ロールスクリーン軸端部の上下位置を調整することができるから、ロールスクリーンを設置したままの状態で水平調整作業を実施することができる。ブラケットを固定する施工面が傾斜していても、軸受体のブラケット本体に対する角度固定位置を変えることにより、施工面の傾斜に合わせて軸端部を受け入れる軸受溝の傾斜角度を調整することができる。従来のように、施工面とブラケットの間にスペーサを挿入する必要はない。
【００１０】
調整ボルトに掛ける弛み止め機能付きナットは、振動等により調整ボルトが緩んでロールスクリーンの水平が損なわれることを未然に防止する。防振樹脂板は簡単に交換可能であるから、防振樹脂板の色相を施工面の色相に合わせることは容易である。ロールスクリーンを連装するとき、２つのブラケットを背中合わせとし、ねじを連装用ねじ通し孔から連装用ねじ孔にねじ込むと、連装するロールスクリーンは必ず同軸となる。
【発明を実施するための最良の形態】
【００１１】
ロールスクリーン用ブラケットの本体は、固定用ねじ通し孔を備えた固定板部の一端から軸受板部が垂下する形状のＬ字形とする。固定板部の施工面側に防振樹脂板を、内面側に挟み板を、それぞれの固定用ねじ通し孔が連通するように重ね合わせる。軸受板部には同一円周上に位置して直径方向に相対する多数の固定ねじ孔を設ける。軸受板部の垂直２等分線に関して対称な位置の一方に連装用ねじ通し孔を、他方に連装用ねじ孔を設ける。軸受体は、中央に長方形の軸受溝を設け、周辺にはロールスクリーンの軸端部を中心として直径方向に相対する少なくとも２つの固定ねじ孔と連通する固定ねじ通し孔を設ける。軸受体は、少なくとも２つの固定ねじを介して軸受板部に固定する。軸受溝の底部にナット溝を設け、ナット溝に弛み止めナットを配置し、軸受溝の底部にねじ込む調整ボルトに弛み止めナットを掛ける。
【実施例】
【００１２】
本発明のロールスクリーン用ブラケットを図面に示す実施例に基づいて説明する。図１は、実施例を上から見た斜視図であり、ロールスクリーンの軸端部の脱着状態を示す。図２は、実施例の側面図であり、ロールスクリーンの軸端部の軸受け状態を示す。図３は、実施例の分解斜視図である。図４は、連装連結した実施例の部分切り欠き斜視図である。
【００１３】
図１に示すように、ロールスクリーン用ブラケット１は、Ｌ字形の本体２と、その本体の内面に脱着可能に固定される軸受体３と、その軸受体３にねじ込まれる調整ボルト４とからなる。本体２は施工面に当接する固定板部５と、その固定板部の一端から直角に延長する軸受板部６とからなる。軸受板部６には多数の同一円周上に位置して直径方向に相対する多数の固定ねじ孔７が設けられる。多数の固定ねじ孔７が位置する円周の中心は、軸受板部６の半円形下端部の中心であると共に、軸受けするロールスクリーンの軸端部と同心である。
【００１４】
軸受体３はブロック状の中央部８と扇状の周辺部９を有し、中央部８には長方形の軸受溝１０が設けられ、周辺部９には軸受板部６の固定ねじ孔７に連通可能な複数の直径方向に相対する固定ねじ通し孔１１が設けられる。固定ねじ通し孔１１に通した固定ねじ１２を固定ねじ孔７にねじ込み、軸受体３を本体２に固定する。このとき、ねじ込む固定ねじ孔７の選択により、軸受溝１０の本体２に対する傾斜角度位置を調整することができる。
調整ボルト４は、軸受体３の軸受溝１０の底から内部へねじ込まれる。ロールスクリーン１３の軸端部１４を、軸受溝１０に上から挿入して軸方向位置を規定する。このとき、抜け止め１５が作動して軸端部１４の浮き上がり脱出を防止する。
【００１５】
図２に示すように、軸受溝１０に収容した軸端部１４を調整ボルト４で支えて上下位置を規制する。このとき、軸端部１４の軸心線は軸受板部６半円形下端部の中心を通る。軸受体３の軸受溝１０底部に軸受板部６側に開口するナット溝１６を設け、そのナット溝１６に弛み止めナット１７を収容する。軸受溝１０底部のねじ孔１８に調整ボルト４をねじ込んでいくと、弛み止めナット１７は調整ボルト４の先端側に掛かる。
【００１６】
ブラケット１は、調整ボルト４を操作することにより、ロールスクリーン１３の軸端部１４の上下位置を調整することができるから、ロールスクリーン１３を設置したままの状態で水平調整作業を実施することができる。調整ボルト４には弛み止めナット１７が掛けられるから、振動などにより調整ボルトが緩んで、ロールスクリーン１３の水平が狂うおそれは少ない。
【００１７】
図１及び図３に示すように、固定ねじ１２を締め込む固定ねじ孔７の位置を変えることにより、軸受体３の本体２に対する角度位置を調整することができるから、ブラケット１を固定する施工面が傾斜していても、施工面の傾斜に合わせて軸端部１４を受け入れる軸受溝１０の傾斜角度を調整することができる。
【００１８】
本体２の固定板部５の施工面に防振樹脂板１９を、内面に挟み板２０を重ね合わせて挟持する。このとき、固定板部５、防振樹脂板１９、挟み板２０の各固定ねじ通し孔２１、２２、２３は連通し、挟み板２０の両端のリム２４は固定板部５と防振樹脂板１９の切り欠き２５、２６にはまるから、本体２と防振樹脂板１９と挟み板２０は一体となる。この防振樹脂板は簡単に交換できるから、施工面の色相に合う色相の防振樹脂板を選択して使用する。
【００１９】
図４に示すように、本体２は、軸受板部６の上半部に１組の連装ねじ通し孔２７と連装ねじ孔２８を有する。連装ねじ通し孔２７と連装ねじ孔２８は、同径であり、軸受板部６の鉛直二等分線に関して対称の位置にある。ロールスクリーンを連装するとき、２つのブラケット１の本体２を背中合わせにすると、一方の連装ねじ通し孔２７と連装ねじ孔２８は、他方の連装ねじ通し孔と連装ねじ孔と連通する。それぞれの連装ねじ通し孔からねじ２９，２９を連装ねじ孔にねじ込んで締め付け、２つのブラケット１、１を一体に結合すると、双方の軸受溝１０、１０は一線となるから、連装するロールスクリーンは同軸となる。
【図面の簡単な説明】
【００２０】
【図１】実施例を上から見た斜視図であり、ロールスクリーンの軸端部の脱着状態を示す。
【図２】実施例の側面図であり、ロールスクリーンの軸端部の軸受け状態を示す。
【図３】実施例の分解斜視図である。
【図４】連装連結した実施例の部分切り欠き斜視図である。
【符号の説明】
【００２１】
１：ブラケット
２：本体
３：軸受体
４：調整ボルト
５：固定板部
６：軸受板部
７：固定ねじ孔
８：中央部
９：周辺部
１０：軸受溝
１１：固定ねじ通し孔
１２：固定ねじ
１３：ロールスクリーン
１４：軸端部
１５：抜け止め
１６：ナット溝
１７：弛み止めナット
１８：ねじ孔
１９：防振樹脂板
２０：挟み板
２１、２２、２３：固定ねじ通し孔
２４：リム
２５、２６：切り欠き
２７：連装用ねじ通し孔
２８：連装用ねじ孔
２９：ねじ
【図１】
2005090195.tif 000003
【図２】
2005090195.tif 000004
【図３】
2005090195.tif 000005
【図４】
2005090195.tif 000006